(57)【特許請求の範囲】
【請求項１】
ワイヤレスデバイス（１３）によって実行される、モビリティ同期測定を取り扱うための方法であって、
一意なアイデンティティに関連付けられた複数の送信ビーム（１５ａ、１５ｂ、１５ｃ、１５ｄ、１５ｅ、１５ｆ）のセットに関するモビリティ測定を実行するための指示を受信するステップ（Ｓ１０２）と、
前記一意なアイデンティティが以前に前記ワイヤレスデバイスによって記憶されているかをチェックするステップ（Ｓ１０４）と、もしそうである場合、
以前に記憶された前記送信ビームのセットの同期情報に基づいて、前記送信ビームのセットに関するモビリティ測定を実行するステップ（Ｓ１０６ａ）と、
を含み、前記同期情報は前記一意なアイデンティティによって識別され、前記モビリティ測定の結果はハンドオーバ判定のために使用される、方法。
【請求項２】
前記一意なアイデンティティが以前に前記ワイヤレスデバイスによって記憶されていない場合、
前記送信ビームのセットに関するモビリティ測定を実行（Ｓ１０６ｂ）して、前記送信ビームのセットの同期情報を決定することと、
前記一意なアイデンティティおよび前記モビリティ測定の前記同期情報を記憶すること（Ｓ１０８）と、
をさらに含む、請求項１に記載の方法。
【請求項３】
前記ワイヤレスデバイスにサービスしている無線アクセスネットワークノード（１１ａ）から、ターゲットビームアイデンティティを含むビーム切り替え指令を受信すること（Ｓ１１４）と、
前記ターゲットビームアイデンティティが前記ワイヤレスデバイスによって以前に記憶された任意の一意なアイデンティティに対応するかをチェックすること（Ｓ１１６）と、もしそうである場合、
前記一意なアイデンティティに対応する、記憶された同期情報を読み出すこと（Ｓ１１８）と、
前記読み出された同期情報を用いてデータ送信を受信すること（Ｓ１２０）と、
をさらに含む、請求項１または２に記載の方法。
【請求項４】
前記一意なアイデンティティは、前記送信ビームのセットの送信元であった無線アクセスネットワークノード（１１ａ）および送信ポイント（１１ｃ）のうち、少なくとも１つを識別する、請求項１〜３のいずれか一項に記載の方法。
【請求項５】
前記一意なアイデンティティは、バイナリ値のシーケンスによって表され、前記送信ビームのセットのうちの単一の送信ビームのアイデンティティは、前記バイナリ値のシーケンスの少なくともサブセットを共有する、請求項１〜４のいずれか一項に記載の方法。
【請求項６】
前記同期情報は、前記送信ビームのセットで送信された同期信号から決定される、請求項１〜５のいずれか一項に記載の方法。
【請求項７】
前記同期情報は、前記ワイヤレスデバイスの内部クロックに対する最初のフレームの最初のシンボルの始点への時間オフセットと、前記ワイヤレスデバイスによって使用される基準周波数に対する周波数オフセットとのうち、少なくとも１つを含む、請求項１〜６のいずれか一項に記載の方法。
【請求項８】
前記一意なアイデンティティが以前に前記ワイヤレスデバイスによって記憶されていない場合、
前記送信ビームのセットに関するモビリティ測定を実行（Ｓ１０６ｃ）して、前記送信ビームのセットの同期情報を決定すること、をさらに含み、前記モビリティ測定は、他の送信ビームのセットの、以前に記憶された同期情報に基づいており、前記以前に記憶された同期情報は、前記他の送信ビームのセットの一意なアイデンティティによって識別される、請求項１〜７のいずれか一項に記載の方法。
【請求項９】
前記他の送信ビームのセットの前記以前に記憶された同期情報は、前記送信ビームのセットに関する前記モビリティ測定の期間中に使用されるべき初期パラメータを定義するために使用される、請求項８に記載の方法。
【請求項１０】
前記モビリティ測定は、前記送信ビームのセットで送信された基準信号にさらに基づく、請求項１〜９のいずれか一項に記載の方法。
【請求項１１】
アイドルモードの間、ブロードキャストされた情報を受信すること（Ｓ１１０ａ）と、
以前に記憶された同期情報を前記ブロードキャストされた情報に基づいて更新すること（Ｓ１１０ｂ）と、
をさらに含む、請求項１〜１０のいずれか一項に記載の方法。
【請求項１２】
前記モビリティ測定の情報を無線アクセスネットワークノード（１１ｂ）へ送信すること（Ｓ１１２）をさらに含む、請求項１〜１１のいずれか一項に記載の方法。
【請求項１３】
無線アクセスネットワークノード（１１ａ）によって実行される、モビリティ同期測定を取り扱うための方法であって、
一意なアイデンティティに関連付けられた複数の送信ビーム（１５ａ、１５ｂ、１５ｃ、１５ｄ、１５ｅ、１５ｆ）のセットに関するモビリティ測定をワイヤレスデバイス（１３）に実行させるための指示を送信するステップ（Ｓ２０２）と、
前記ワイヤレスデバイス（１３）から受信される前記モビリティ測定の結果に基づいて、ハンドオーバ判定を実行するステップと、
を含む、方法。
【請求項１４】
前記一意なアイデンティティに関連付けられた前記送信ビームのセットを用いて、同期情報を送信すること（Ｓ２０４ａ）をさらに含む、請求項１３に記載の方法。
【請求項１５】
前記一意なアイデンティティに関連付けられた前記送信ビームのセットを用いた同期情報の送信をアクティブ化するために、他の無線アクセスネットワークノード（１１ｂ）へメッセージを送信すること（Ｓ２０４ｂ）をさらに含む、請求項１３または１４に記載の方法。
【請求項１６】
他の無線アクセスネットワークノード（１１ｂ）へメッセージを送信すること（Ｓ２０４ｃ）をさらに含み、前記メッセージは前記ワイヤレスデバイスの位置情報を含む、請求項１３〜１５のいずれか一項に記載の方法。
【請求項１７】
ビームの切り替えが前記ワイヤレスデバイスについて必要であることを識別すること（Ｓ２０６）をさらに含み、前記送信ビームのセットはそれに基づく、請求項１３〜１６のいずれか一項に記載の方法。
【請求項１８】
前記送信ビームのセットは、前記ワイヤレスデバイスのためのターゲットビーム候補を表す、請求項１７に記載の方法。
【請求項１９】
前記ワイヤレスデバイスから前記モビリティ測定の情報を受信すること（Ｓ２０８）、をさらに含み、
前記ハンドオーバ判定を実行するステップは、前記受信された情報に基づいて、前記ワイヤレスデバイスのための前記送信ビームのセットから、サービングビームを決定すること（Ｓ２１０）、を含む、
請求項１８に記載の方法。
【請求項２０】
前記サービングビームのアイデンティティ情報を前記ワイヤレスデバイスへ送信すること（Ｓ２１２）と、
前記サービングビームを用いて前記ワイヤレスデバイスへデータを送信すること（Ｓ２１４）と、
をさらに含む、請求項１９に記載の方法。
【請求項２１】
モビリティ同期測定を取り扱うためのワイヤレスデバイス（１３）であって、
一意なアイデンティティに関連付けられた複数の送信ビーム（１５ａ、１５ｂ、１５ｃ、１５ｄ、１５ｅ、１５ｆ）のセットに関するモビリティ測定を実行するための指示を受信し、
前記一意なアイデンティティが以前に前記ワイヤレスデバイスによって記憶されているかをチェックし、もしそうである場合、
以前に記憶された前記送信ビームのセットの同期情報に基づいて、前記送信ビームのセットに関するモビリティ測定を実行する、
ように構成される処理ユニット（３１）、を備え、前記同期情報は前記一意なアイデンティティによって識別され、前記モビリティ測定の結果はハンドオーバ判定のために使用される、ワイヤレスデバイス。
【請求項２２】
モビリティ同期測定を取り扱うための無線アクセスネットワークノード（１１ａ）であって、
一意なアイデンティティに関連付けられた複数の送信ビーム（１５ａ、１５ｂ、１５ｃ、１５ｄ、１５ｅ、１５ｆ）のセットに関するモビリティ測定をワイヤレスデバイス（１３）に実行させるための指示を送信し、
前記ワイヤレスデバイス（１３）から受信される前記モビリティ測定の結果に基づいて、ハンドオーバ判定を実行する、
ように構成される処理ユニット（２１）、を備える無線アクセスネットワークノード（１１ａ）。
【請求項２３】
モビリティ同期測定を取り扱うためのコンピュータプログラム（４２ｂ）であって、ワイヤレスデバイス（１３）の処理ユニット（３１）上で実行されると、前記処理ユニットに、
一意なアイデンティティに関連付けられた複数の送信ビーム（１５ａ、１５ｂ、１５ｃ、１５ｄ、１５ｅ、１５ｆ）のセットに関するモビリティ測定を実行するための指示を受信させ（Ｓ１０２）、
前記一意なアイデンティティが以前に前記ワイヤレスデバイスによって記憶されているかをチェックさせ（Ｓ１０４）、もしそうである場合、
以前に記憶された前記送信ビームのセットの同期情報に基づいて、前記送信ビームのセットに関するモビリティ測定を実行させる（Ｓ１０６ａ）、
コンピュータプログラムコードを含み、
前記同期情報は、前記一意なアイデンティティによって識別され、前記モビリティ測定の結果はハンドオーバ判定のために使用される、コンピュータプログラム。
【請求項２４】
モビリティ同期測定を取り扱うためのコンピュータプログラム（４２ａ）であって、無線アクセスネットワークノード（１１ａ）の処理ユニット（２１）上で実行されると、前記処理ユニットに、
一意なアイデンティティに関連付けられた複数の送信ビーム（１５ａ、１５ｂ、１５ｃ、１５ｄ、１５ｅ、１５ｆ）のセットに関するモビリティ測定をワイヤレスデバイス（１３）に実行させるための指示を送信すること（Ｓ２０２）と、
前記ワイヤレスデバイス（１３）から受信される前記モビリティ測定の結果に基づいて、ハンドオーバ判定を実行することと、
を行わせる、コンピュータプログラムコードを含む、コンピュータプログラム。
【請求項２５】
請求項２３および２４のうち少なくとも一方に記載のコンピュータプログラム（４２ａ、４２ｂ）を記憶したコンピュータ可読媒体。
【発明の詳細な説明】
【技術分野】
【０００１】
本明細書に提示される実施形態は、モビリティの同期測定の取り扱いに関し、特に、モビリティの同期測定を取り扱うための方法、ワイヤレスデバイス、無線アクセスネットワークノード、コンピュータプログラム、およびコンピュータプログラムプロダクトに関する。
【背景技術】
【０００２】
通信ネットワークには、与えられた通信プロトコル、そのパラメータ、および当該通信ネットワークが配備された物理的環境おける良好な性能と容量を得るための課題があり得る。
【０００３】
例えば、ハンドオーバは、あらゆるセルラ通信ネットワークにおいて重要な要素である。ハンドオーバは、広いカバレッジエリアにわたって透過的なサービスを達成するために、ワイヤレスデバイスの進行中の接続を、ある無線アクセスネットワークノード（サービング無線アクセスネットワークノードと示される）から他の無線アクセスネットワークノード（ターゲット無線アクセスネットワークノードと示される）に移管させるプロセスとして定義され得る。ハンドオーバは、ワイヤレスデバイスへ／からのデータ送信を一切失うことなく、かつ、ワイヤレスデバイスに対して可能な限り小さな割り込みで実行されるべきである。
【０００４】
ハンドオーバを可能にするためには、ターゲット無線アクセスネットワークノードによってサービスされる適切なターゲットセルを見つけること、およびターゲットセル内のワイヤレスデバイスへ／からの信頼できる通信を維持することが可能であることを保証することが必要である。適切なターゲット無線アクセスネットワークノード（および／またはターゲットセル）の候補は、通常、所謂ネイバーリスト内に記憶され、ネイバーリストは少なくともサービング無線アクセスネットワークノードにおいて記憶される。
【０００５】
ワイヤレスデバイス（ＷＤ）がターゲットセル（すなわち、ターゲット無線アクセスネットワーク（ＲＡＮ）ノードによってサービスされるエリア）上で受信または測定するためには、当該セルと（すなわち、ターゲットノードと）同期する必要がある。レガシーシステムでは、すべてのＲＡＮノードは、隣接セル内のＷＤがターゲットセルとの同期に使用する同期信号を継続的に送信する。例としては、広帯域符号分割多元接続（ＷＣＤＭＡ）ベースの通信ネットワークにおける同期チャネル（ＳＣＨ）、およびＬＴＥ（Long  Term  Evolution）ベースの通信ネットワークにおける１次および２次同期信号が含まれるが、これらに限定されない。同期は、通常、受信された信号と既知の信号との相関演算を行うことによって実現される。ＬＴＥでは、時間と周波数の両方の領域で相関演算が実行され得る。同期手続は、多くの場合、いくつかのステップに分割され、周波数と時間の分解能がステップごとに改善される。時間同期については、それらのステップはシンボル、スロット、およびフレームタイミングを見つけることを含み得る。
【０００６】
将来のセルラ通信ネットワークは、大部分において高度なアンテナシステムを使用するかもしれない。このようなアンテナでは、信号は、ある方向の信号強度を増加させるために、および／または他の方向における干渉を減少させるために、狭い送信ビームで送信されるであろう。このようなアンテナがカバレッジを増加させるために用いられる場合、隣接するＲＡＮノードにおける狭い送信ビームの間のハンドオーバが必要になるかもしれない。サービングＲＡＮノードはまた、自身のセル内でビームの切り替えまたはビームの更新が必要であるかを決める必要がある。ＲＡＮノードが現在ＷＤと通信している送信ビームはサービングビームと呼ばれ、そのハンドオーバ先でありまたは切り替え先となる送信ビームはターゲットビームと呼ばれる。サービングビームおよびターゲットビームは、同一のＲＡＮノードの送信ビームであってもよいし、異なるＲＡＮノードの送信ビームであってもよい。
【０００７】
したがって、モビリティ同期測定の改善された取り扱いが依然として必要とされている。
【発明の概要】
【発明が解決しようとする課題】
【０００８】
本明細書の実施形態の目的は、モビリティ同期測定の効率的な取り扱いを提供することである。
【課題を解決するための手段】
【０００９】
第１の態様によれば、モビリティ同期測定を取り扱うための方法が提示される。前記方法は、ワイヤレスデバイスによって実行される。前記方法は、一意なアイデンティティに関連付けられた送信ビームのセットに関するモビリティ測定を実行するための指示を受信することを含む。前記方法は、前記一意なアイデンティティが以前に前記ワイヤレスデバイスによって記憶されているかをチェックすることを含む。前記方法は、前記一意なアイデンティティが以前に前記ワイヤレスデバイスによって記憶されている場合、以前に記憶された前記送信ビームのセットの同期情報に基づいて、前記送信ビームのセットに関するモビリティ測定を実行することを含み、前記同期情報は前記一意なアイデンティティによって識別される。
【００１０】
有利には、これはモビリティ同期測定の効率的な取り扱いを提供する。
【００１１】
有利には、これにより、ＷＤがターゲットビームとの同期を取得するのにかかる時間を、従来のアプローチと比較して削減することが可能になる。
【００１２】
有利には、これにより、完全な同期プロセスを実行する頻度を従来のアプローチと比較して、より少なくすることが可能になる。完全な同期プロセスをあまり頻繁に行わないことは、ＷＤの複雑さを抑制するだろう。
【００１３】
第１の態様の変形例によれば、モビリティ同期測定を取り扱うための方法が提示される。前記方法は、ワイヤレスデバイスによって実行される。前記方法は、一意なアイデンティティに関連付けられた送信ビームのセットに関する測定を実行するための指示を受信することを含む。前記方法は、前記一意なアイデンティティが以前に前記ワイヤレスデバイスによって記憶されているかをチェックすることを含む。前記方法は、前記一意なアイデンティティが以前に前記ワイヤレスデバイスによって記憶されていない場合、前記送信ビームのセットに関するモビリティ測定を実行して、前記送信ビームのセットの同期情報を決定することを含む。前記方法は、前記一意なアイデンティティおよび前記モビリティ測定の前記同期情報を記憶することを含む。
【００１４】
第２の態様によれば、モビリティ測定を取り扱うためのワイヤレスデバイスが提示される。前記ワイヤレスデバイスは、処理ユニットを備える。前記処理ユニットは、一意なアイデンティティに関連付けられた送信ビームのセットに関するモビリティ測定を実行するための指示を受信するように構成される。前記処理ユニットは、前記一意なアイデンティティが以前に前記ワイヤレスデバイスによって記憶されているかをチェックするように構成される。前記処理ユニットは、前記一意なアイデンティティが以前に前記ワイヤレスデバイスによって記憶されている場合、以前に記憶された前記送信ビームのセットの同期情報に基づいて、前記送信ビームのセットに関するモビリティ測定を実行するように構成され、前記同期情報は前記一意なアイデンティティによって識別される。
【００１５】
第２の態様の変形例によれば、モビリティ同期測定を取り扱うためのワイヤレスデバイスが提示される。前記ワイヤレスデバイスは、処理ユニットを備える。前記処理ユニットは、一意なアイデンティティに関連付けられた送信ビームのセットに関するモビリティ測定を実行するための指示を受信するように構成される。前記処理ユニットは、前記一意なアイデンティティが以前に前記ワイヤレスデバイスによって記憶されているかをチェックするように構成される。前記処理ユニットは、前記一意なアイデンティティが以前に前記ワイヤレスデバイスによって記憶されていない場合、前記送信ビームのセットに関するモビリティ測定を実行して、前記送信ビームのセットの同期情報を決定するように構成される。前記処理ユニットは、前記一意なアイデンティティおよび前記モビリティ測定の前記同期情報を記憶するように構成される。
【００１６】
第３の態様によれば、モビリティ測定を取り扱うためのコンピュータプログラムが提示され、前記コンピュータプログラムは、ワイヤレスデバイスの処理ユニット上で実行されると、前記処理ユニットに、前記第１の態様および前記第１の態様の変形例のうち少なくとも一方に係る方法を実行させるコンピュータプログラムコードを含む。
【００１７】
第４の態様によれば、モビリティ同期測定を取り扱うための方法が提示される。前記方法は、無線アクセスネットワークノードによって実行される。前記方法は、一意なアイデンティティに関連付けられた送信ビームのセットに関するモビリティ測定をワイヤレスデバイスに実行させるための指示を送信することを含む。
【００１８】
第５の態様によれば、モビリティ同期測定を取り扱うための無線アクセスネットワークノードが提示される。前記無線アクセスネットワークノードは処理ユニットを備える。前記処理ユニットは、一意なアイデンティティに関連付けられた送信ビームのセットに関するモビリティ測定をワイヤレスデバイスに実行させるための指示を送信するように構成される。
【００１９】
第６の態様によれば、モビリティ測定を取り扱うためのコンピュータプログラムが提示され、前記コンピュータプログラムは、無線アクセスネットワークノードの処理ユニット上で実行されると、前記処理ユニットに、前記第４の態様に係る方法を実行させるコンピュータプログラムコードを含む。
【００２０】
第７の態様によれば、前記第３の態様と前記第６の態様のうち少なくとも一方に係るコンピュータプログラムと、前記コンピュータプログラムが記憶されたコンピュータ可読手段と、を備えるコンピュータプログラムプロダクトが提示される。
【００２１】
前記第１、第２、第３、第４、第５、第６および第７の態様のあらゆる特徴は、適切な場合はいつでも、他のあらゆる態様に適用され得ることに留意すべきである。同様に、第１の態様のあらゆる利点は、それぞれ第２、第３、第４、第５、第６および／または第７の態様に等しく適用され、その逆も同様である。同封の実施形態の他の目的、特徴および利点は、以下の詳細な開示、添付の従属請求項ならびに図面から明らかになるであろう。
【００２２】
概して、特許請求の範囲で使用される全ての用語は、本明細書で明示的に別段定義されない限り、当該技術分野における通常の意味に従って解釈されるべきである。「１の／１つの／その要素、装置、構成要素、手段、ステップなど」への全ての言及は、明示的に別段述べられていない限り、要素、装置、構成要素、手段、ステップなどの少なくとも１つの例に言及するものとして、開放型で解釈されるべきである。本明細書で開示されるいかなる方法のステップも、明示的に述べられていない限り、開示された正確な順序で実行される必要はない。
【図面の簡単な説明】
【００２３】
本発明の概念は、例として、添付の図面を参照してここで説明される。
【００２４】
【図１】図１は、実施形態に係る通信ネットワークを示す概略図である。
【図２ａ】図２ａは、一実施形態に係る無線アクセスネットワークノードの機能ユニットを示す概略図である。
【図２ｂ】図２ｂは、一実施形態に係る無線アクセスネットワークノードの機能モジュールを示す概略図である。
【図３ａ】図３ａは、一実施形態に係るワイヤレスデバイスの機能ユニットを示す概略図である。
【図３ｂ】図３ｂは、一実施形態に係るワイヤレスデバイスの機能モジュールを示す概略図である。
【図４】図４は、一実施形態に係るコンピュータ可読手段を備えるコンピュータプログラムプロダクトの一例を示す図である。
【図５】図５は、実施形態に係る方法のフローチャートである。
【図６】図６は、実施形態に係る方法のフローチャートである。
【図７】図７は、実施形態に係る方法のフローチャートである。
【図８】図８は、実施形態に係る方法のフローチャートである。
【発明を実施するための形態】
【００２５】
本発明の概念は、本発明の概念のある実施形態が示されている添付図面を参照して、以下に、より完全に説明される。ただし、本発明の概念は、多くの異なる形態で具体化されてもよく、本明細書に記載の実施形態に限定されるものと解釈されるべきではない。むしろ、これらの実施形態は、本開示が完璧かつ完全であるように、そして本発明の概念の範囲を当業者へ完全に伝えるように、例として提供される。同様の符号は、本説明全体にわたって同様の要素を参照する。破線で示されたあらゆるステップまたは特徴は、オプションであるとみなされるべきである。
【００２６】
図１は、本明細書に提示された実施形態に適用可能な通信ネットワーク１０を示す概略図である。通信ネットワーク１０は、無線アクセスネットワーク（ＲＡＮ）ノード１１ａ、１１ｂを含む。各ＲＡＮノードは、送信ポイントを有してもよく、送信ポイントのうちの１つは、参照符号１１ｃにおいて概略的に示されている。ＲＡＮノードは、基地トランシーバ局、ノードＢ、および／または進化型ノードＢなどの無線基地局の、任意の組み合わせであってもよい。ＲＡＮノードはさらに、マクロＲＡＮノードおよび、マイクロまたはピコＲＡＮノードの任意の組み合わせであってもよい。各ＲＡＮノード１１ａ、１１ｂは、それぞれのカバレッジ領域１２ａ、１２ｂ内で送信ビーム１５ａ、１５ｂ、１５ｃ、１５ｄ、１５ｆを送信することによって、当該カバレッジ領域１２ａ、１２ｂ内でネットワークカバレッジを提供する。各ＲＡＮノード１１ａ、１１ｂは、コアネットワーク（図示せず）に動作可能に接続されていることが想定される。そして、コアネットワークは、広域ネットワークを提供するサービスおよびデータに動作可能に接続されてもよい。
【００２７】
したがって、ＲＡＮノード１１ａ、１１ｂのうちの１つによってサービスされるワイヤレスデバイス（ＷＤ）１３は、その結果、広域ネットワークによって提供されるようなサービスおよびデータにアクセスし得る。ワイヤレスデバイス１３は、移動局、携帯電話、ハンドセット、ワイヤレスローカルループ電話、ユーザ機器（ＵＥ）、スマートフォン、ラップトップコンピュータ、および／またはタブレットコンピュータの、任意の組み合わせであってもよい。ワイヤレスデバイス１３は、ある座標系［ｘ、ｙ］に従って現在位置［ｘ１、ｙ１］に配置される。さらに、図１では２つの座標ｘおよびｙのみが概略的に示されているが、現在位置は、３次元座標系［ｘ、ｙ、ｚ］において、ワイヤレスデバイス１３についての３つの座標［ｘ１、ｙ１、ｚ１］を有し得る。
【００２８】
ワイヤレスデバイス１３は、位置から位置へ、そして、したがって、カバレッジ領域から１２ａ、１２ｂへ移動し得る。したがって、ワイヤレスデバイス１３の、あるＲＡＮノードから他のＲＡＮノードへのハンドオーバ、または少なくとも１つの送信ビームから他の送信ビームへのハンドオーバが必要とされる。上述したように、そのようなハンドオーバは、ワイヤレスデバイス１３へ／からのデータ送信を一切失うことなく、かつ、ワイヤレスデバイス１３に対して可能な限り小さな割り込みで実行されるべきである。サービングビームとターゲットビームとは、同一のＲＡＮノードの送信ビームであってもよいし、異なるＲＡＮノードの送信ビームであってもよい。従って、本明細書で使用されるようなハンドオーバという用語は、ソースビームからターゲットビームへのハンドオーバとして解釈されるべきである。
【００２９】
例示的で非限定的な目的のために、図１では、ＷＤ１３が現在２つの領域１２ａ、１２ｂの境界に位置していると、想定される。例示的で非限定的な目的のために、図１では、さらにＲＡＮノード１１ａがサービングＲＡＮノードであり、ＲＡＮノード１１ｂがターゲットＲＡＮノードであると、想定される。各ＲＡＮノード１１ａ、１１ｂは、狭い送信ビーム１５ａ、１５ｂ、１５ｃ、１５ｄ、１５ｆを生成するように構成されるアンテナを備えている。例示的で非限定的な目的のために、図１では、送信ビーム１５ａがＷＤ１３のためのサービングビームであり、他の送信ビーム１５ｂ〜１５ｆがターゲットビーム候補であると、想定される。
【００３０】
上述したように、狭い送信ビーム１５ａ〜ｆを使用する高度なアンテナシステムを有するＲＡＮノード１１ａ、１１ｂを含む通信ネットワーク１０のようなセルラシステムにおいては、ＷＤ１３のためのビームの更新が非常に頻繁に繰り返されるかもしれなかった。したがって、様々なビーム候補に関し同期及び測定を行うために、従来技術によれば、ＷＤは、特に非同期ネットワークにおいて、広範なタイミング同期手続を潜在的に実行しなければならない。したがって、ＷＤ１３について、従来技術に係る同期手続は、一度に多くの送信ビーム１５ａ〜ｆについて測定を行う必要があり得るので、非常に複雑になりかねない。したがって、ＷＤ１３におけるモビリティ測定の計算負荷が最小化されるか、または少なくとも低減されるビーム候補測定アプローチが必要とされている。
【００３１】
本明細書に開示される実施形態は、モビリティ同期の取り扱いに関する。モビリティ同期測定のこのような取り扱いを獲得するために、ワイヤレスデバイス１３、ワイヤレスデバイス１３によって実行される方法、例えばコンピュータプログラムプロダクトの形態において、ワイヤレスデバイス１３の処理ユニット上で実行されると、当該処理ユニットに上記ワイヤレスデバイス１３によって実行される方法を実行させるコードを含むコンピュータプログラムが提供される。モビリティ同期測定のこのような取り扱いを獲得するために、ＲＡＮノード１１ａ、１１ｂ、ＲＡＮノード１１ａ、１１ｂによって実行される方法、例えばコンピュータプログラムプロダクトの形態において、ＲＡＮノード１１ａ、１１ｂの処理ユニット上で実行されると、当該処理ユニットに上記ＲＡＮノード１１ａ、１１ｂによって実行される方法を実行させるコードを含むコンピュータプログラムがさらに提供される。
【００３２】
図２ａは、一実施形態に係るＲＡＮノード１１ａ、１１ｂの構成要素を複数の機能ユニットの観点で概略的に示す。処理ユニット２１は、例えば記憶媒体２３の形態であるコンピュータプログラムプロダクト４１ａ（図４に示されるような）に記憶されたソフトウェア命令を実行することが可能な、適切な中央処理装置（ＣＰＵ）、マルチプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）などのうち、１つ以上の任意の組み合わせを用いて提供される。したがって、処理ユニット２１は、それにより本明細書で開示されるような方法を実行するように構成される。記憶媒体２３は永続的な記憶装置を含んでもよく、例えば、永続的な記憶装置は、磁気メモリ、光メモリ、ソリッドステートメモリ、さらにあるいは遠隔に搭載されたメモリのうち、任意の単一のまたは組合せであり得る。ＲＡＮノード１１ａ、１１ｂは、他の無線アクセスネットワークノード１１ａ、１１ｂおよびワイヤレスデバイス１３と通信するための通信インタフェース２２をさらに備えてもよい。それゆえ、通信インタフェース２２は、アナログおよびデジタルの構成要素と、無線通信のための適切な数のアンテナと、有線通信のためのポートと、を含む１つ以上の送信機および受信機を含み得る。処理ユニット２１は、例えば、通信インタフェース２２および記憶媒体２３へデータおよび制御信号を送信することにより、通信インタフェース２２からデータおよび報告を受信することにより、および記憶媒体２３からデータおよび指示を読み出すことにより、ＲＡＮノード１１ａ、１１ｂの全体的な動作を制御する。ＲＡＮノード１１ａ、１１ｂの他の構成要素および関連する機能は、本明細書に提示される概念を不明瞭にしないために省略されている。
【００３３】
図２ｂは、一実施形態に係るＲＡＮノード１１ａ、１１ｂの構成要素を複数の機能モジュールの観点で概略的に示す。図２ｂのＲＡＮノード１１ａ、１１ｂは、下記のステップＳ２０２、Ｓ２０４ａ、Ｓ２０４ｂ、Ｓ２０４ｃ、Ｓ２０８、Ｓ２１２、Ｓ２１４を実行するように構成された送信および／または受信モジュール２１ａなどの、複数の機能モジュールを備える。図２ｂのＲＡＮノード１１ａ、１１ｂは、下記のステップＳ２０６を実行するように構成された識別モジュール２１ｂと、下記のステップＳ２１０を実行するように構成された決定モジュール２１ｃと、のうちいずれかのような、ある数のオプションの機能モジュールをさらに備えてもよい。各機能モジュール２１ａ〜ｃの機能性は、機能モジュール２１ａ〜ｃが使用される文脈において、以下でさらに開示される。概して言えば、各機能モジュール２１ａ〜ｃは、ハードウェアまたはソフトウェアで実装されてもよい。好ましくは、１つまたは複数のまたはすべての機能モジュール２１ａ〜ｃは、場合によっては機能ユニット２２および／または２３と協働して、処理ユニット２１により実装され得る。したがって、処理ユニット２１は、機能モジュール２１ａ〜ｃによって提供されるような命令を記憶媒体２３からフェッチし、これらの命令を実行するように構成されてもよく、それによって以下に開示されるような任意のステップを実行する。
【００３４】
図３ａは、一実施形態に係るワイヤレスデバイス１３の構成要素を複数の機能ユニットの観点で概略的に示す。処理ユニット３１は、例えば記憶媒体３３の形態であるコンピュータプログラムプロダクト４１ｂ（図４に示されるような）に記憶されたソフトウェア命令を実行することが可能な、適切な中央処理装置（ＣＰＵ）、マルチプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）などのうち、１つ以上の任意の組み合わせを用いて提供される。したがって、処理ユニット３１は、それにより本明細書で開示されるような方法を実行するように構成される。記憶媒体３３は永続的な記憶装置を含んでもよく、例えば、永続的な記憶装置は、磁気メモリ、光メモリ、ソリッドステートメモリ、さらにあるいは遠隔に搭載されたメモリのうち、任意の単一のまたは組合せであり得る。ワイヤレスデバイス１３は、少なくとも１つの無線アクセスネットワークノード１１ａ、１１ｂと通信するための通信インタフェース２２をさらに備えてもよい。それゆえ、通信インタフェース３２は、アナログおよびデジタルの構成要素と、無線通信のための適切な数のアンテナと、有線通信のためのポートと、を含む１つ以上の送信機および受信機を含み得る。処理ユニット３１は、例えば、通信インタフェース３２および記憶媒体３３へデータおよび制御信号を送信することにより、通信インタフェース３２からデータおよび報告を受信することにより、および記憶媒体３３からデータおよび指示を読み出すことにより、ワイヤレスデバイス１３の全体的な動作を制御する。ワイヤレスデバイス１３の他の構成要素および関連する機能は、本明細書に提示される概念を不明瞭にしないために省略されている。
【００３５】
図３ｂは、一実施形態に係るワイヤレスデバイス１３の構成要素を複数の機能モジュールの観点で概略的に示す。図３ｂのワイヤレスデバイス１３は、例えば下記のステップＳ１０２、Ｓ１１０ａ、Ｓ１１２、Ｓ１１４、Ｓ１２０を実行するように構成された送信および／または受信モジュール３１ａ、以下のステップＳ１０４、Ｓ１１６を実行するように構成されたチェックモジュール３１ｂと、以下のステップＳ１０６ａ、Ｓ１０６ｂ、Ｓ１０６ｃ、を実行するように構成された実行モジュール３１ｃのような、複数の機能モジュールを備える。図３ｂのワイヤレスデバイス１３は、下記のステップＳ１０８を実行するように構成された記憶モジュール３１ｄと、下記のステップＳ１１８を実行するように構成された読出しモジュール３１ｅと、下記のステップＳ１１０ｂを実行するように構成された更新モジュール３１ｅと、のうちいずれかのような、ある数のオプションの機能モジュールをさらに備えてもよい。各機能モジュール３１ａ〜ｅの機能性は、機能モジュール３１ａ〜ｅが使用される文脈において、以下でさらに開示される。概して言えば、各機能モジュール３１ａ〜ｅは、ハードウェアまたはソフトウェアで実装されてもよい。好ましくは、１つまたは複数のまたは全ての機能モジュール２１ａ〜ｃは、場合によっては機能ユニット２２および／または２３と協働して、処理ユニット２１により実装され得る。したがって、処理ユニット２１は、機能モジュール３１ａ〜ｅによって提供されるような命令を記憶媒体２３からフェッチし、これらの命令を実行するように構成されてもよく、それによって以下に開示されるような任意のステップを実行する。
【００３６】
図４は、コンピュータ可読手段４３を備えるコンピュータプログラムプロダクト４１ａ、４１ｂの一例を示す。このコンピュータ可読手段４３には、コンピュータプログラム４２ａが記憶されてもよく、コンピュータプログラム４２ａは、処理ユニット２１およびそれに動作可能に結合されたエンティティおよびデバイス、例えば通信インタフェース２２および記憶媒体２３に、本明細書に記載の実施形態に係る方法を実行させることができる。このコンピュータ可読手段４３には、コンピュータプログラム４２ｂが記憶されてもよく、このコンピュータプログラム４２ｂは、処理ユニット３１およびそれに動作可能に結合されたエンティティおよびデバイス、例えば通信インタフェース２２および記憶媒体３３に、本明細書に記載の実施形態に係る方法を実行させることができる。したがって、コンピュータプログラム４２ａ、４２ｂおよび／またはコンピュータプログラムプロダクト４１ａ、４１ｂは、本明細書で開示される任意のステップを実行するための手段を提供し得る。
【００３７】
図４の例において、コンピュータプログラムプロダクト４１ａ、４１ｂは、ＣＤ（Compact  Disc）またはＤＶＤ（Digital  Versatile  Disc）またはブルーレイディスクなどの光ディスクとして示されている。コンピュータプログラムプロダクト４１ａ、４１ｂはまた、ＲＡＭ（Random  Access  Memory）、ＲＯＭ（Read-Only  Memory）、ＥＰＲＯＭ（Erasable  Programmable  Read-Only  Memory）、またはＥＥＰＲＯＭ（Electrically  Erasable  Programmable  Read-Only  Memory）、より詳細には、ＵＳＢ（Universal  Serial  Bus）メモリ、またはコンパクトフラッシュメモリのようなフラッシュメモリなどの外部メモリ内のデバイスの不揮発性記憶媒体として具体化され得る。したがって、コンピュータプログラム４１ａ、４１ｂはここでは図示の光ディスク上のトラックとして概略的に描かれているが、コンピュータプログラム４２ａ、４２ｂは、コンピュータプログラムプロダクト４１ａ、４１ｂに適したいかなる方法で記憶されてもよい。
【００３８】
図５および図６は、ワイヤレスデバイス１３によって実行されるモビリティ同期測定を取り扱うための方法の実施形態を示すフローチャートである。当該方法は、有利にはコンピュータプログラム４２ｂとして提供される。図７および図８は、ＲＡＮノード１１ａによって実行されるモビリティ同期測定を取り扱う方法の実施形態を示すフローチャートである。当該方法は、有利にはコンピュータプログラム４２ａとして提供される。
【００３９】
ここで、一実施形態に係るワイヤレスデバイス１３によって実行される、モビリティ同期測定を取り扱うための方法を示す図５を参照する。
【００４０】
ワイヤレスデバイス１３は、ステップＳ１０２において、送信ビーム１５ａ、１５ｂ、１５ｃ、１５ｄ、１５ｅ、１５ｆのセットに関するモビリティ測定を実行するための指示を受信する、ように構成される。送信ビーム１５ａ、１５ｂ、１５ｃ、１５ｄ、１５ｅ、１５ｆのセットは、一意なアイデンティティに関連付けられている。一意なアイデンティティの例は以下で提供される。
【００４１】
この指示を受信すると、ワイヤレスデバイス１３は、送信ビーム１５ａ、１５ｂ、１５ｃ、１５ｄ、１５ｅ、１５ｆのセットに関するモビリティ測定を直ちには実行しない。その代わりに、ワイヤレスデバイス１３は、ステップＳ１０４において、一意なアイデンティティが以前にワイヤレスデバイス１３によって記憶されているかをチェックする、ように構成される。
【００４２】
もし一意なアイデンティティが以前にワイヤレスデバイス１３によって記憶されていた場合、これは、送信ビーム１５ａ、１５ｂ、１５ｃ、１５ｄ、１５ｅ、１５ｆのセットに関するモビリティ測定を実行する際に支援するために以前の情報が使用され得ることを示し得る。より詳細には、ワイヤレスデバイス１３は、ステップＳ１０６ａにおいて、一意なアイデンティティが以前にワイヤレスデバイス１３によって記憶されている場合、送信ビーム１５ａ、１５ｂ、１５ｃ、１５ｄ、１５ｅ、１５ｆのセットに関するモビリティ測定を実行する、ように構成される。当該モビリティ測定は、以前に記憶された送信ビーム１５ａ、１５ｂ、１５ｃ、１５ｄ、１５ｅ、１５ｆのセットの同期情報に基づく。同期情報は、一意なアイデンティティによって識別される。
【００４３】
ここで、ワイヤレスデバイス１３によって実行されるモビリティ同期測定の取り扱いのさらなる詳細に関する実施形態が開示される。
【００４４】
一意なアイデンティティは送信ＲＡＮノード１１ａ、１１ｂおよび／または送信ポイント１１ｃをもまた識別し得る。このようにして、同一のＲＡＮノードからのビーム候補に関する将来の測定は、同一の記憶された同期情報を活用することができる。したがって、一意なアイデンティティは、送信ビーム１５ａ、１５ｂ、１５ｃ、１５ｄ、１５ｅ、１５ｆのセットの送信元であったＲＡＮノード１１ａおよび／または送信ポイント１１ｃを識別し得る。
【００４５】
一意なアイデンティティを提供する様々な方法があり得る。例えば、一意なアイデンティティは、バイナリ値のシーケンスによって表されてもよい。送信ビームのセットのうちの単一の送信ビーム１５ａ、１５ｂ、１５ｃ、１５ｄ、１５ｅ、１５ｆのアイデンティティは、バイナリ値のシーケンスの少なくともサブセットを共有してもよい。したがって、ワイヤレスデバイス１３は、このようなバイナリ値のシーケンスの少なくともサブセットを共有しないような送信ビームに関するモビリティ測定を行う必要はない。すなわち、ワイヤレスデバイス１３は、それによって、一意なアイデンティティを共有する送信ビームに関するモビリティ測定のみを実行するので、ワイヤレスデバイス１３は、他の送信ビーム関する不要なモビリティ測定を行う必要はない。バイナリ値のシーケンスのサブセットは、ＲＡＮノード１１ａ、１１ｂのアイデンティティに対応してもよい。ただし、バイナリ値のシーケンスのサブセットは、代わりに、ＲＡＮノードのグループのアイデンティティ、または１つのＲＡＮノードの送信ビームのサブセットに対応してもよい。
【００４６】
ワイヤレスデバイス１３が同期情報を受信する様々な方法があり得る。例えば、同期情報は、送信ビーム１５ａ、１５ｂ、１５ｃ、１５ｄ、１５ｅ、１５ｆのセットで送信された同期信号から決定されてもよい。
【００４７】
様々なタイプの同期情報が有り得る。概して言えば、同期情報は、時間同期情報と周波数同期情報との任意の組み合わせであってもよい。例えば、同期情報は、ワイヤレスデバイス１３の内部クロックに対する最初のフレームの最初のシンボルの始点への時間オフセットを含んでもよい。例えば、同期情報は、ワイヤレスデバイス１３によって使用される基準周波数に対する周波数オフセットを含んでもよい。ＷＤクロックおよび周波数基準の両方は、現在のサービングビームにロックされていると想定されてもよい。あるいは、サービングＲＡＮノード１１ａのタイミングおよび周波数が内部基準となる。
【００４８】
次いで、ワイヤレスデバイス１３は、同一の送信ビーム上で送信される時間同期信号（ＴＳＳ）および／またはモビリティ基準信号（ＭＲＳ）のような同期情報を測定することが次に要求されたときに、測定を改善するために同期情報を使用してもよい。
【００４９】
モビリティ測定は、送信ビーム１５ａ、１５ｂ、１５ｃ、１５ｄ、１５ｅ、１５ｆのセットで送信された基準信号にさらに基づいてもよい。
【００５０】
ここで、さらなる実施形態に係るワイヤレスデバイス１３によって実行される、モビリティモビリティ同期測定を取り扱うための方法を示す図６を参照する。
【００５１】
一意なアイデンティティが以前にワイヤレスデバイス１３によって記憶されていない場合にワイヤレスデバイス１３が動作する様々な方法があり得る。例えば、ワイヤレスデバイス１３は、新たなモビリティ測定を実行してもよく、次いで一意なアイデンティティおよび同期情報を記憶してもよい。
【００５２】
より詳細には、ワイヤレスデバイス１３は、オプションのステップＳ１０６ｂにおいて、一意なアイデンティティが以前にワイヤレスデバイス１３によって保存されていない場合、送信ビーム１５ａ、１５ｂ、１５ｃ、１５ｄ、１５ｅ、１５ｆのセットに関するモビリティ測定を実行して、送信ビーム１５ａ、１５ｂ、１５ｃ、１５ｄ、１５ｅ、１５ｆのセットの同期情報を決定する、ように構成され得る。次いで、ワイヤレスデバイス１３は、オプションのステップＳ１０８において、一意なアイデンティティおよび当該モビリティ測定の同期情報を記憶する、ように構成され得る。
【００５３】
例えば、ワイヤレスデバイス１３が送信ビームのＴＳＳおよび／またはＭＲＳに関する成功した測定を実行した後、ワイヤレスデバイス１３は同期パラメータをルックアップテーブルに記憶してもよい。概して言えば、成功した測定とは、同期に使用される１つ以上の相関メトリックが、それぞれの閾値を上回ることを意味する。
【００５４】
上述したように、一意なアイデンティティは、セルＩＤを定義する送信ＲＡＮノード１１ａ、１１ｂおよび／または送信ポイント１１ｃをもまた識別し得る。したがって、一実施形態では、このようなテーブルは、ビームＩＤおよびセルＩＤを使用してインデックス付けされ得る（表１参照）。
【００５５】
【表１】
0006472878.tif 000002
【００５６】
したがって、本明細書で開示される実施形態の少なくともいくつかは、一意なビームＩＤインデックスを有する各送信ビームの関連付けの使用に基づいている。通信ネットワーク１０は、ＲＡＮノード１１ａを介して、送信ビームに関するモビリティ測定を要求するとき、ビームＩＤについてＷＤ１３に通知してもよい。ＷＤ１３が送信ビームを識別し、同期を実行したとき、ＷＤ１３はビームＩＤを使用して、送信ビームについての同期情報（とりわけ設定を含む）を記憶してもよい。記憶された設定は、ＷＤ１３が送信ビームに関するモビリティ測定を実行することが次に要求されたときに、ＷＤ１３によって使用されてもよい。
【００５７】
実際には、テーブル１はルックアップテーブルとして記憶され得る。そのようなルックアップテーブルは、サイズが限定され、最新のＮ個の測定されたセル（ＲＡＮノード）についての送信ビームのみが記憶される。セル（ＲＡＮノード）についての時間同期パラメータのみを記憶する別個のテーブルを有することは有益であり得る（表２参照）。すべての同期パラメータのうち、タイミング同期オフセットはＷＤ処理負荷を最も低減する可能性があるパラメータである。セル（ＲＡＮノード）当たりの送信ビームの数は、１０−１００のオーダであってもよい。表２は、表１を記憶するのと同じメモリサイズに対して、より多数のセル（ＲＡＮノード）についての時間パラメータを記憶することが可能である。セル（ＲＡＮノード）についての時間同期パラメータは、当該セル（ＲＡＮノード）について測定されたすべての送信ビームの平均値としてもよい。時間同期パラメータは、表２にのみ含まれるセル（ＲＡＮノード）からの送信ビームについての初期時間同期のために使用されてもよい。
【００５８】
【表２】
0006472878.tif 000003
【００５９】
さらに、当該テーブルに含まれるＲＡＮノードから送信ビームが送信された場合、たとえ具体的なその送信ビームには以前に遭遇していないとしても、その同一のＲＡＮノードからの他の送信ビームについての同期パラメータが初期パラメータとして使用されてもよい。したがって、記憶された他の送信ビームの同期情報が初期パラメータとして使用されてもよい。より詳細には、ワイヤレスデバイス１３は、オプションのステップＳ１０６ｃにおいて、一意なアイデンティティが以前にワイヤレスデバイス１３によって保存されていない場合、送信ビーム１５ａ、１５ｂ、１５ｃ、１５ｄ、１５ｅ、１５ｆのセットに関するモビリティ測定を実行して、送信ビーム１５ａ、１５ｂ、１５ｃ、１５ｄ、１５ｅ、１５ｆのセットの同期情報を決定する、ように構成され得る。モビリティ測定は、以前に記憶された他の送信ビームのセットの同期情報に基づいている。以前に記憶された同期情報は、この他の送信ビームのセットの一意なアイデンティティによって識別される。さらに、以前に記憶されたこの他の送信ビームのセットの同期情報は、送信ビーム１５ａ、１５ｂ、１５ｃ、１５ｄ、１５ｅ、１５ｆのセットに関するモビリティ測定の期間中に用いられる初期パラメータを定義するために使用されてもよい。
【００６０】
以前に記憶された同期情報を更新する様々な方法があり得る。例えば、以前に記憶された同期情報は、ワイヤレスデバイス１３がアイドルモードであるときに更新されてもよい。より詳細には、ワイヤレスデバイス１３は、オプションのステップＳ１１０ａにおいて、アイドルモードの間に、例えば限定ではないものの同期情報などのブロードキャストされた情報を受信する、ように構成され得る。ワイヤレスデバイス１３は、オプションのステップＳ１１０ｂにおいて、以前に記憶された同期情報を当該ブロードキャストされた情報に基づいて更新する、ように構成され得る。したがって、セル内でブロードキャストされる同期および基準信号を用いて、アイドルモードにおいて表２を更新することもできる。これらの同期および基準信号は、概して、アクティブモードにおいて有用である程度にまで頻繁には送信されない。ＷＤ１３は、データを受信または送信するとき、アクティブモードである。
【００６１】
ワイヤレスデバイス１３がモビリティ測定を取り扱う様々な方法があり得る。例えば、ワイヤレスデバイス１３はモビリティ測定についてＲＡＮノード１１ａ、１１ｂに通知してもよい。より詳細には、ワイヤレスデバイス１３は、オプションのステップＳ１１２において、モビリティ測定の情報をＲＡＮノードへ送信する、ように構成され得る。このＲＡＮノードは、ワイヤレスデバイス１３のサービングＲＡＮノード１１ａであってもよいし、ＲＡＮノード１１ｂのようなワイヤレスデバイス１３のターゲットＲＡＮノードであってもよい。したがって、ワイヤレスデバイス１３は、ビーム別またはノード前の同期パラメータに関する集められた情報についてＲＡＮノードに通知してもよい。次いで、ＲＡＮノードは、例えば、以前にアクティブ化された送信ビーム、ＲＡＮノード、または送信ポイントを用いる後続の測定セッションにおいてＴＳＳ成分の送信を省略してもよい。
【００６２】
モビリティ測定は、ワイヤレスデバイス１３がＲＡＮノード１１ａのようなサービングＲＡＮノードからＲＡＮノード１１ｂのようなターゲットＲＡＮノードへハンドオーバされるべきか決定するために使用されてもよい。ただし、上述したように、ハンドオーバは、この文脈では広い解釈を有するべきであり、サービングビームからターゲットビームへのハンドオーバを含んでもよく、サービングビームとターゲットビームとは同一のＲＡＮノード１１ａ、１１ｂから送信される。より詳細には、ワイヤレスデバイス１３は、オプションのステップＳ１１４において、ワイヤレスデバイス１３にサービスしているＲＡＮノード１１ａから、ビーム切り替え指令を受信する、ように構成され得る。当該ビーム切り替え指令は、ターゲットビームアイデンティティを含む。次いでワイヤレスデバイス１３は、オプションのステップＳ１１６において、当該ターゲットビームアイデンティティがワイヤレスデバイス１３によって以前に記憶された任意の一意なアイデンティティに対応するかをチェックする、ように構成され得る。次いでワイヤレスデバイス１３は、オプションのステップＳ１１８において、当該ターゲットビームアイデンティティがワイヤレスデバイス１３によって以前に記憶された任意の一意なアイデンティティに対応する場合、当該一意なアイデンティティに対応する、記憶された同期情報を読み出す、ように構成され得る。次いでワイヤレスデバイス１３は、オプションのステップＳ１２０において、読み出された同期情報を用いてデータ送信を受信する、ように構成され得る。
【００６３】
ここで、一実施形態に係るＲＡＮノード１１ａによって実行される、モビリティ同期測定を取り扱うための方法を示す図７を参照する。
【００６４】
上記で開示されたように、ステップＳ１０２において、ワイヤレスデバイス１３は、モビリティ測定を実行するための指示を受信する。したがって、ＲＡＮノード１１ａは、ステップＳ２０２において、一意なアイデンティティに関連付けられた送信ビーム１５ａ、１５ｂ、１５ｃ、１５ｄ、１５ｅ、１５ｆのセットに関するモビリティ測定をワイヤレスデバイス１３に実行させるための指示を送信する、ように構成される。
【００６５】
ここで、ＲＡＮノード１１ａによって実行されるモビリティ同期測定の取り扱いのさらなる詳細に関する実施形態が開示される。
【００６６】
ここで、さらなる実施形態に係るＲＡＮノード１１ａによって実行される、モビリティ同期測定を取り扱うための方法を示す図８を参照する。
【００６７】
ＲＡＮノード１１ａが、ステップＳ２０２で指示を送信した後に動作する様々な方法があり得る。これに関連する様々な実施形態について、ここで順番に説明する。
【００６８】
例えば、ＲＡＮノード１１ａは、オプションのステップＳ２０４ａにおいて、一意なアイデンティティに関連付けられた送信ビームのセットを用いて、同期情報を送信する、ように構成され得る。この同期情報は、ステップＳ１１０ａにおいてと同様に、ワイヤレスデバイス１３によって受信されてもよい。
【００６９】
例えば、ＲＡＮノード１１ａは、オプションのステップＳ２０４ｂにおいて、一意なアイデンティティに関連付けられた送信ビーム１５ａ、１５ｂ、１５ｃ、１５ｄ、１５ｅ、１５ｆのセットを用いた同期情報の送信をアクティブ化するために他のＲＡＮノード１１ｂへメッセージを送信する、ように構成され得る。これは、ＲＡＮノード１１ａがビームの切り替えの必要性を識別した場合であってよく、以下のステップＳ２０６を参照されたい。
【００７０】
例えば、ＲＡＮノード１１ａは、オプションのステップＳ２０４ｃにおいて、他のＲＡＮノード１１ｂへメッセージを送信する、ように構成され得る。このメッセージは、ワイヤレスデバイス１３の位置情報［ｘ１、ｙ１］を含んでもよい。これにより、この他のＲＡＮノード１１ｂは、ワイヤレスデバイス１３へ向けて送信するためにどの送信ビームをアクティブ化するかを選択することが可能となる。
【００７１】
さらに、ＲＡＮノード１１ａは、オプションのステップＳ２０６において、ビームの切り替えがワイヤレスデバイス１３について必要であることを識別する、ように構成され得る。送信ビームのセットは、それに基づいてもよい。したがって、どのビームが送信ビームのセットに含まれるべきであるかは、ビームの切り替えがワイヤレスデバイス１３について必要であるか否かに基づいてもよい。送信ビームのセットは、ワイヤレスデバイス１３のためのターゲットビーム候補を表し得る。
【００７２】
ＲＡＮノード１１ａがどの送信ビームがＷＤ１３の新たなサービングビームとして用いられるべきかを決定する様々な方法があり得る。より詳細には、ＲＡＮノード１１ａは、オプションのステップＳ２０８において、当該ワイヤレスデバイスからモビリティ測定の情報を受信する、ように構成され得る。当該モビリティ測定は、上記のステップＳ１０６ａ、Ｓ１０６ｂ、Ｓ１０６ｃのいずれかと同様に実行され得る。次いで、ＲＡＮノード１１ａは、オプションのステップＳ２１０において、当該受信された情報に基づいて、ワイヤレスデバイス１３のための送信ビームのセットから、サービングビームを決定する、ように構成され得る。
【００７３】
さらに、サービングＲＡＮノード１１ａがビームの切り替えを決めるとき、それはターゲットビームについてのセルＩＤおよび／またはビームＩＤなどのアイデンティティ情報をＷＤ１３へシグナリングしてもよい。次いで、ＷＤ１３は、ステップＳ１２０においてと同様に、サービングビーム上でデータを受信するときに、ターゲットビームについて記憶された同期パラメータを使用してもよく、したがって、追加の粗い同期手続または同期シグナリングがビームの切り替えに必要とされない。より詳細には、ＲＡＮノード１１ａは、オプションのステップＳ２１２において、サービングビームのアイデンティティ情報をワイヤレスデバイス１３へ送信し、そしてオプションのステップＳ２１４において、サービングビームを用いてワイヤレスデバイス１３へデータを送信する、ように構成され得る。
【００７４】
図１を再び参照すると、領域１２ａ内のＷＤ１３は、送信ビーム１５ａ上のＲＡＮノード１１ａと進行中の接続を有する。パイロットは、残りの送信ビーム１５ｂ〜ｆについて破線で示されるように、連続的には送信されない。ＲＡＮノード１１ａは、サービングビーム１５ａについての現在の接続品質の測定値に基づいて、ビームの切り替えが必要であると決定する。これらの測定値は、例えば受信された品質（ＣＱＩ）の測定値である。例えば、ＷＤ位置［ｘ１、ｙ１］または現在の送信ビーム１５ａに基づいて、ＲＡＮノード１１ａは送信ビーム候補のセットを選択する。送信ビーム候補のいくつかがＲＡＮノード１１ｂに属している場合、ＲＡＮノード１１ａはＲＡＮノード１１ｂにメッセージを送り、ダウンリンク同期およびこれらの送信ビームについての基準信号をアクティブ化する。あるいは、ＲＡＮノード１１ａは、ＷＤ位置［ｘ１、ｙ１］をＲＡＮノード１１ｂへ送信することができ、ＲＡＮノード１１ｂは、どの送信ビーム候補をアクティブ化すべきかを自律的に決めることができる。ＲＡＮノード１１ａはまた、供給されたビームＩＤのリストに従ってＭＲＳ／ＴＳＳ信号についてのサーチを開始するようにＷＤ１３へ通知する。次いで、ＲＡＮノード１１ａおよび／またはＲＡＮノード１１ｂは、送信ビーム候補上でダウンリンクでＴＳＳ／ＭＲＳを送信する。次いで、ＷＤ１３は、送信ビームに関して同期させて測定し、測定結果をＲＡＮノード１１ａへ報告する。次いで、ＲＡＮノード１１ａは、測定報告に基づいてビームの切り替えを実行することを決定してもよい。本明細書で開示されたビームＩＤリストのメカニズム（すなわち、以前に記憶された一意なアイデンティティの利用）は、送信ビームについての測定が実行されるたびに同期を実行することを回避するために使用される。例えば、本明細書で開示された実施形態の少なくともいくつかによれば、各アクティブ化された送信ビームに対応するビームＩＤは、サービングＲＡＮノード１１ａからＷＤ１３への制御シグナリングを使用してシグナリングされる。ビームＩＤは、ある地理的エリア内の所与のビーム構成（発信ＲＡＮノード、ビームフォーミング／プリコーディングパラメータなど）に一意であってもよく、少なくとも同期に使用されるＴＳＳ／ＭＲＳ信号に関する情報を含んでもよい。ＷＤ１３が送信ビームがどのＲＡＮノードに属するかをも知るために、セルＩＤがビームＩＤと共に提供され得る。
【００７５】
要約すると、本明細書に開示された実施形態のうち少なくともいくつかは、モビリティ同期およびパイロットまたは基準信号の連続的な送信がないダウンリンクチャネルのビームフォーミングを用いて、通信ネットワーク１０におけるＷＤの複雑さを低減する手続を説明する。これは、ビームＩＤおよびセルＩＤなどの一意なアイデンティティで送信ビームを記述することによって達成される。送信ビームに関するモビリティ同期測定は、ビームＩＤおよびセルＩＤでインデックス付けされたルックアップテーブル内に記憶され得る。ＷＤ１３へのデータ送信のために、ＲＡＮノードは、送信ビーム上で送信を行う前に、ビームＩＤおよびセルＩＤをＷＤ１３に通知してもよい。次いで、ＷＤ１３は、これらの送信ビームでの受信のための記憶された同期パラメータを使用してもよい。
【００７６】
本発明の概念は、主に、いくつかの実施形態を参照して上述されている。ただし、当業者には容易に理解されるように、上記で開示されたもの以外の他の実施形態も、添付された特許請求の範囲によって規定される本発明の概念の範囲内で等しくあり得る。
【図１】
0006472878.tif 000004
【図２ａ】
0006472878.tif 000005
【図２ｂ】
0006472878.tif 000006
【図３ａ】
0006472878.tif 000007
【図３ｂ】
0006472878.tif 000008
【図４】
0006472878.tif 000009
【図５】
0006472878.tif 000010
【図６】
0006472878.tif 000011
【図７】
0006472878.tif 000012
【図８】
0006472878.tif 000013